(57)【要約】      （修正有）【課題】構造が簡単で安価に製造することができ、縦置きに機器本体を置くことのできるスタンドとしても、横置きに機器本体を置くことのできるスタンドとしても組み立てることができる組み立て式の携帯型電子機器用スタンドを提供する。【解決手段】略矩形の第１の支持板１と、略矩形の第２の支持板２とからなり、第１の支持板１は、その長さ方向に沿って延在し、外側の端１ａａが開放端である第１のスロット１ａと、その幅方向に延在し、外側の端が１ｂａ開放端である第２のスロット１ｂとを有し、第２の支持板２は、その長さ方向又は幅方向に沿って延在し、外側の端２ａａが開放端である第３のスロットを有し、第１の支持板１と前記第２の支持板２が交差するように、第１の支持板１の第１のスロット１ａ又は第２のスロット１ｂに第２の支持板２の第３のスロットが側方から差し込まれて組み立てられるものであることを特徴とする。【選択図】図１
0003174922.tif 000002
【実用新案登録請求の範囲】
【請求項１】
携帯型電子機器の背面を支持する略矩形の第１の支持板と、携帯型電子機器の側面を支持する略矩形の第２の支持板とからなる携帯型電子機器用スタンドであって、
前記第１の支持板は、その長さ方向に沿って延在し、外側の端が開放端である第１のスロットと、その幅方向に延在し、外側の端が開放端である第２のスロットとを有し、
又、前記第２の支持板は、その長さ方向又は幅方向に沿って延在し、外側の端が開放端である第３のスロットを有し、
そして、前記第１の支持板と前記第２の支持板が交差するように、前記第１の支持板の前記第１のスロット又は前記第２のスロットに前記第２の支持板の前記第３のスロットが側方から差し込まれて組み立てられるものであり、それにより携帯型電子機器を縦置きに又は横置きに置くことができるスタンドとして組み立てられるものであることを特徴とする携帯型電子機器用スタンド。
【請求項２】
前記第１の支持板は、その長さ方向の全長が幅方向の全長よりも長く、又、前記第２の支持板よりも大きさが大きいことを特徴とする請求項１記載の携帯型電子機器用スタンド。
【請求項３】
前記第１の支持板と前記第２の支持板とが組み立てられて交差した状態にあるとき、互いのなす角が約９０度であることを特徴とする請求項１又は２記載の携帯型電子機器用スタンド。
【請求項４】
前記第１の支持板は、その第１のスロットの内側の端が長さ方向全長の中央に位置し、その第２のスロットの内側の端が幅方向全長の中央に位置し、前記第２の支持板は、その第３のスロットの内側の端が長さ方向全長又は幅方向全長の中央に位置することを特徴とする請求項１乃至３の何れか記載の携帯型電子機器用スタンド。
【請求項５】
前記第１の支持板の幅方向全長と前記第２の支持板の長さ方向全長又は幅方向全長が同じであることを特徴とする請求項４記載の携帯型電子機器用スタンド。
【考案の詳細な説明】
【技術分野】
【０００１】
この考案は、携帯電話、携帯情報端末、携帯パソコン、携帯音楽・映像プレーヤー等の各種携帯型電子機器を置くための携帯型電子機器用スタンドに関する。
【背景技術】
【０００２】
従来より、携帯型電子機機器用スタンドとして、組み立て式にしてスタンドも容易に携帯することができるようにしたものが種々提案されている。
【０００３】
従来の組み立て式のスタンドは、折り畳み式のものが多く、例えば、特開２００２−９９１７号公開公報（特許文献１）等に記載のもののように、複数の板状の支持部材をヒンジ等の回動連結部材によって連結してなるものとして、それら支持部材を回動させることで、展開させてスタンドとして機能するように組み立てたり、折り畳んでコンパクトにして容易に携帯することができるようにしたものが多い。
【先行技術文献】
【特許文献】
【０００４】
【特許文献１】特許第２８２２３５０号公報
【考案の概要】
【考案が解決しようとする課題】
【０００５】
従来の組み立て式のスタンドは、前記のように、複数の支持部材をヒンジ等の回動連結部材によって連結してなる折り畳み式のものが多いが、折り畳み式のものの場合、構造が複雑となることから、その機能の割には製造コストが高いものとなってしまう。
【０００６】
ところで、近年、スマートフォン、タブレットＰＣ等のように本体を縦向きにしたり、横向きにしたりして、画面を縦長に見たり、横長に見たりする携帯型電子機器が広く普及してきているが、そのようなスマートフォンやタブレットＰＣ等を置くスタンドとしては、機器の特性から本体を縦置きにも、横置きにも置くことのできるものであることが望ましいということになる。
【０００７】
この考案は、上記の事情に鑑み、構造が簡単で安価に製造することができ、縦置きに機器本体を置くことのできるスタンドとしても、横置きに機器本体を置くことのできるスタンドとしても組み立てることができる組み立て式の携帯型電子機器用スタンドを提供することを目的とする。
【課題を解決するための手段】
【０００８】
この考案は、携帯型電子機器の背面を支持する略矩形の第１の支持板と、携帯型電子機器の側面を支持する略矩形の第２の支持板とからなる携帯型電子機器用スタンドであって、前記第１の支持板は、その長さ方向に沿って延在し、外側の端が開放端である第１のスロットと、その幅方向に延在し、外側の端が開放端である第２のスロットとを有し、又、前記第２の支持板は、その長さ方向又は幅方向に沿って延在し、外側の端が開放端である第３のスロットを有し、そして、前記第１の支持板と前記第２の支持板が交差するように、前記第１の支持板の前記第１のスロット又は前記第２のスロットに前記第２の支持板の前記第３のスロットが側方から差し込まれて組み立てられるものであり、それにより携帯型電子機器を縦置きに又は横置きに置くことができるスタンドとして組み立てられるものであることを特徴とする携帯型電子機器用スタンドである。
【０００９】
又、この考案は、前記第１の支持板は、その長さ方向の全長が幅方向の全長よりも長く、又、前記第２の支持板よりも大きさが大きいことを特徴とする携帯型電子機器用スタンドである。
【００１０】
又、この考案は、前記第１の支持板と前記第２の支持板とが組み立てられて交差した状態にあるとき、互いのなす角が約９０度であることを特徴とする携帯型電子機器用スタンドである。
【００１１】
又、この発明は、前記第１の支持板は、その第１のスロットの内側の端が長さ方向全長の中央に位置し、その第２のスロットの内側の端が幅方向全長の中央に位置し、前記第２の支持板は、その第３のスロットの内側の端が長さ方向全長又は幅方向全長の中央に位置することを特徴とする携帯型電子機器用スタンドである。
【００１２】
又、この発明は、前記第１の支持板の幅方向全長と前記第２の支持板の長さ方向全長又は幅方向全長が同じであることを特徴とする携帯型電子機器用スタンドである。
【００１３】
尚、この発明において、前記第１の支持板と前記第２の支持板は、合成樹脂、ガラス、金属、木材、厚紙等の材料からなるものとすることができる。
【考案の効果】
【００１４】
この考案によれば、第１のスロットと第２のスロットを有する第１の支持板と、第３のスロットを有する第２の支持板という構造が簡単なものから組み立て式のスタンドを構成することができる。
【００１５】
従って、この考案によれば、構造が簡単で安価に製造することができる組み立て式の携帯型電子機器用スタンドを提供することができる。
【００１６】
又、この考案によれば、第１の支持板の第１のスロット又は第２のスロットに第２の支持板の第３のスロットを差し込むことにより、携帯型電子機器を縦置きに又は横置きに置くことができるようにスタンドを組み立てることができる。
【００１７】
従って、この考案によれば、縦置きに機器本体を置くことができるスタンドとしても、横置きに機器本体を置くことのできるスタンドとしても組み立てることができる組み立て式の携帯型電子機器用スタンドを提供することができる。
【図面の簡単な説明】
【００１８】
【図１】この発明の一実施形態を示し、（ａ）が縦置き用に組み立て状態のスタンドの斜視図であり、（ｂ）が横置き用に組み立てた状態のスタンドの斜視図である。
【図２】同上を示し、（ａ）が平置きにした状態の第１の支持板の平面図であり、（ｂ）が平置きにした状態の第２の支持板の平面図である。
【図３】同上を示し、（ａ）が縦置き用に組み立てる際のスタンドの分解図であり、（ｂ）が横置き用に組み立てる際のスタンドの分解図である。
【図４】同上を示し、（ａ）が縦置き用に組み立てたスタンドに縦置きに電子機器を置いた状態の斜視図であり、（ｂ）が横置き用に組み立てたスタンドに横置きに電子機器を置いた状態の斜視図である。
【考案を実施するための形態】
【００１９】
この考案の実施形態の一例を図１乃至図４に基づき説明する。
【００２０】
スタンド１０は、四隅にＲが付された略矩形で平板状の第１の支持板１と、四隅にＲが付された略矩形で平板状の第２の支持板２とからなる。
【００２１】
尚、これら第１の支持板１と第２の支持板２は、合成樹脂、ガラス、金属、木材、厚紙等の適宜の材料から形成されたものとすることができる。
【００２２】
第１の支持板１は、携帯型電子機器Ｐの背面を支持するためのものであるが、図２（ａ）に詳細に示したように、長さ方向Ｌ１が幅方向Ｗ１よりも長く、又、長さ方向Ｌ１に沿って延在し、外側の端１ａａが側方に開放された開放端であり、内側の端１ａｂが閉止された閉止端である第１のスロット１ａと、幅方向Ｗ１に沿って延在し、外側の端１ｂａが側方に開放された開放端であり、内側の端１ｂｂが閉止された閉止端である第２のスロット１ｂとを有している。
【００２３】
第２の支持板２は、携帯型電子機器Ｐの側面を支持するためのものであるが、図２（ｂ）に詳細に示したように、長さ方向Ｌ２が幅方向Ｗ２よりも僅かに長く、又、幅方向に沿って延在し、外側の端２ａａが側方に開放された開放端であり、内側の端２ａｂが閉止された閉止端である第３のスロット２ａを有している。
【００２４】
尚、本実施形態において、第１の支持板１の大きさは、第２の支持板２よりも大きいものとなっており、携帯型電子機器Ｐの背面を広い面積で支持することができるようになっているが、大きさについては、第２の支持板２の大きさも含め、携帯型電子機器Ｐの大きさに合わせて適宜のものとすることができる。
【００２５】
そして、このスタンド１は、図３（ａ）又は（ｂ）に示したように、第１の支持板１の第１のスロット１ａ又は第２のスロット１ｂに第２の支持板２の第３のスロット２ａを側方から矢印Ａ１又はＡ２方向に第１スロット１ａの内側の端部１ａｂ又は第２のスロット１ｂの内側の端部１ｂｂと第３スロット２ａの内側の端部２ａｂとが当接するまで差し込んで、第１の支持板１と第２の支持板２とを交差させ、図１（ａ）又は（ｂ）に示したように、携帯型電子機器Ｐを縦置きに（図１（ａ））又は横置きに（図１（ｂ））置くことができるように組み立てることができるものとなっており、組み立て後は、図４（ａ）又は（ｂ）に示したように、携帯型電子機器Ｐを背面を第１の支持板１上に支持させると共に側面を第２の支持板２上に支持させて縦置きに（図４（ａ））又は横置きに（図４（ｂ））置くことができるものとなっている。
【００２６】
尚、本実施形態において、第１乃至第２の支持板１，２の厚みは同じであり、又、第１乃至第３スロット１ａ，１ｂ，２ａの幅は同じであり、又、第１乃至第２の支持板１，２の厚みよりも第１乃至第３のスロット１ａ，１ｂ，２ａの幅はごく僅かに大きいものとなっている。これにより、第１の支持板１の第１のスロット１ａ又は第２のスロット１ｂに第２の支持板２の第３スロット２ａを差し込むことができ、第１の支持板１と第２の支持板２とを互いのなす角が約９０度になるように交差させた状態を保持させて組み立てることができるものとなっており、携帯型電子機器Ｐを背面を第１の支持板１に安定して支持させると共に側面を安定して支持させることができるものとなっている。
【００２７】
又、本実施形態において、第１の支持板１中、第１のスロット１ａの内側の端１ａｂは長さ方向全長Ｌ１の中央に位置し、第２のスロットの内側の端１ｂｂは幅方向全長Ｗ１の中央に位置しており、又、第２の支持板２中、第３のスロットの内側の端２ａｂは幅方向全長Ｗ２の中央に位置している。又、第１の支持板１の幅Ｗ１と第２の支持板２のＷ２は同じである。これにより、スタンド１は、図１に示したように、縦置きに組み立て際には、第１の支持板１と第２の支持板２の幅方向の両側面が面一になるものとなっており、図２に示したように、横置きに組み立てた際には、第１の支持板１の長さ方向中央に第２の支持板２が位置するものとなっている。
【００２８】
更に、第１の支持板１から第２の支持板２を引き抜けば両者を簡単に分解することができるが、第１の支持板１と第２の支持板２は何れも平板状であり、両者を重ねてもそれ程嵩張るものではなく、容易に携帯することができるものとなっている。又、第１の支持板１と第２の支持板２は、前記の通り、何れも平板状であることで、それらの表面に容易に印刷したり、シールを貼付したりすることができるものともなっており、社名等を付して所謂販促品として利用することができるものともなっている。
【００２９】
尚、第１の支持板１と第２の支持板２は厚紙によって形成することができるが、その場合、第１の支持板１と第２の支持板２を一枚の厚紙に型抜き可能に形成し、それを商品として需要者に提供するようにすることもできる。
【００３０】
以上、この考案の実施形態の一例を示すものとしてスタンド１０の構成について説明したが、スタンド１０は、第１のスロット１ａと第２のスロット１ｂを有する第１の支持板１と、第３のスロット２ａを有する第２の支持板２という構造が簡単なものからなるものであることで、安価に製造することができるものとなっており、又、第１の支持板１の第１のスロット１ａ又は第２のスロット１ｂに第２の支持板２の第３のスロット２ａを差し込んで組み立てることができるものであることで、携帯型電子機機器Ｐを縦置きに置くことができるものとしても、横置きに置くことのできるものとしても組み立てることができるものとなっている。
【符号の説明】
【００３１】
１：第１の支持板  １ａ：第１のスロット  １ａａ：外側の端
１ａｂ：内側の端  １ｂ：第２のスロット  １ｂａ：外側の端
１ｂｂ：内側の端  ２：第２の支持板  ２ａ：第２のスロット
２ａａ：外側の端  ２ａｂ：内側の端  １０：スタンド
Ａ１：差込み方向  Ａ２：差込み方向  Ｌ１：長さ方向の長さ
Ｌ２：長さ方向の長さ  Ｗ１：幅方向の長さ  Ｗ２：幅方向の長さ
Ｐ：携帯型電子機器
【図１】
0003174922.tif 000003
【図２】
0003174922.tif 000004
【図３】
0003174922.tif 000005
【図４】
0003174922.tif 000006